(57)【要約】【課題】ＩＣカードへのエンコードに使用されるカード発行データを生成するためのデータの作業状況を管理することができるカード発行データ生成システムおよびパラメータ登録状態管理装置を提供する。【解決手段】パラメータ登録状態管理装置１のパラメータ管理部１２は、操作者が入力したパラメータ登録情報の識別符号及び操作内容を示す情報を受信し、記憶部１４から履歴情報を読み出して入力された操作を許可するかを判断する。許可する場合には、該操作内容を示す情報に従い記憶部１４内のパラメータ登録情報の操作または出力、あるいは、履歴情報の更新を行う。カード発行データ生成装置３のデータ生成部３３は、パラメータ登録状態管理装置１から受けたパラメータ登録情報と、記録媒体２から読み出したカード発行ソースデータを基に、ＩＣカード５のＩＣチップ５１へ書き込むカード発行データを生成し、記録媒体４へ書き込む。【選択図】      図１
2004220255.tif 000002
【特許請求の範囲】
【請求項１】
カード発行ソースデータ内に含まれるパラメータ指定情報に応じてパラメータのリストであるパラメータ登録情報を参照することによってカードへのエンコードに使用されるカード発行データを生成するカード発行データ生成装置と、
前記パラメータ登録情報の登録状態を管理するパラメータ登録状態管理装置と、
からなるカード発行データ生成システムであって、
前記パラメータ登録状態管理装置は、
前記パラメータ登録情報及び該パラメータ登録情報の登録の履歴を示す履歴情報を記憶する記憶部と、
操作者が入力したパラメータ登録情報の識別符号及び該パラメータ登録情報の操作内容を示す情報を受ける入力部と、
前記入力部が受けたパラメータ登録情報の識別符号に対応する履歴情報を前記記憶部から読み出して前記操作内容を示す情報が示す操作を許可するかを判断し、許可する場合には、該操作内容を示す情報に従い前記記憶部内のパラメータ登録情報の操作または出力、あるいは、履歴情報の更新を行うパラメータ管理部とを備え、
前記カード発行データ生成装置は、
前記パラメータ登録状態管理装置が出力したパラメータ登録情報を記憶する記憶部と、
コンピュータ読み取り可能な記録媒体から前記カード発行ソースデータを読み込むとともに、該カード発行ソースデータ内のパラメータ指定情報に対応するパラメータを前記記憶部内のパラメータ登録情報から読み出して前記カード発行データを生成するデータ生成部とを備える、
ことを特徴とするカード発行データ生成システム。
【請求項２】
カード発行ソースデータ内に含まれるパラメータ指定情報に応じてパラメータのリストであるパラメータ登録情報を参照することによってカードへのエンコードに使用されるカード発行データを生成するカード発行データ生成装置と、
前記パラメータ登録情報の登録状態を管理するパラメータ登録状態管理装置と、
からなるカード発行データ生成システムにおけるパラメータ登録状態管理装置であって、
前記パラメータ登録情報及び該パラメータ登録情報の登録の履歴を示す履歴情報を記憶する記憶部と、
操作者が入力したパラメータ登録情報の識別符号及び該パラメータ登録情報の操作内容を示す情報を受ける入力部と、
前記入力部が受けたパラメータ登録情報の識別符号に対応する履歴情報を前記記憶部から読み出して前記操作内容を示す情報が示す操作を許可するかを判断し、許可する場合には、該操作内容を示す情報に従い前記記憶部内のパラメータ登録情報の操作または出力、あるいは、履歴情報の更新を行うパラメータ管理部と、
を備えることを特徴とするパラメータ登録状態管理装置。
【請求項３】
前記パラメータ管理部は、操作を許可した場合に、前記パラメータ登録情報の識別符号として使用する受付管理番号を生成して出力するとともに前記記憶部内に書き込むことを特徴とする請求項２に記載のパラメータ登録状態管理装置。
【請求項４】
前記履歴情報は、仮設定、仮確定、本登録または廃棄フェーズのいずれかであり、
前記パラメータ管理部は、前記履歴情報が仮設定フェーズである場合には、前記パラメータ登録情報の変更、及び、前記履歴情報の仮確定フェーズへの更新を許可し、仮確定フェーズである場合には、前記履歴情報の本登録フェーズ及び廃棄フェーズへの更新を許可し、本登録フェーズの場合には、前記パラメータ登録情報の出力を許可し、廃棄フェーズである場合には、前記パラメータ登録情報の削除を許可する、
ことを特徴とする請求項２または請求項３に記載のパラメータ登録状態管理装置。
【請求項５】
前記履歴情報が仮設定フェーズ、あるいは、仮確定フェーズに更新された場合に、前記パラメータ登録情報を印刷する印刷部をさらに備えることを特徴とする請求項４に記載のパラメータ登録状態管理装置。
【請求項６】
カード発行ソースデータ内に含まれるパラメータ指定情報に応じてパラメータのリストであるパラメータ登録情報を参照することによってカードへのエンコードに使用されるカード発行データを生成するカード発行データ生成装置と、
前記パラメータ登録情報の登録状態を管理するパラメータ登録状態管理装置と、
からなるカード発行データ生成システムに用いられるカード発行データ生成方法であって、
前記パラメータ登録状態管理装置が、
前記パラメータ登録情報及び該パラメータ登録情報の登録の履歴を示す履歴情報を記憶する記憶部を用意し、
操作者が入力したパラメータ登録情報の識別符号及び該パラメータ登録情報の操作内容を示す情報を受け、
操作者が入力したパラメータ登録情報の識別符号に対応する履歴情報を前記記憶部から読み出して前記操作内容を示す情報が示す操作を許可するかを判断し、許可する場合には、該操作内容を示す情報に従い前記記憶部内のパラメータ登録情報の操作または出力、あるいは、履歴情報の更新を行い、
前記カード発行データ生成装置が、
前記パラメータ登録状態管理装置が出力したパラメータ登録情報を記憶する記憶部を用意し、
コンピュータ読み取り可能な記録媒体から前記カード発行ソースデータを読み込むとともに、該カード発行ソースデータ内のパラメータ指定情報に対応するパラメータを前記記憶部内のパラメータ登録情報から読み出して前記カード発行データを生成する、
ことを特徴とするカード発行データ生成方法。
【請求項７】
カード発行ソースデータ内に含まれるパラメータ指定情報に応じてパラメータのリストであるパラメータ登録情報を参照することによってカードへのエンコードに使用されるカード発行データを生成するカード発行データ生成装置と、
前記パラメータ登録情報の登録状態を管理するパラメータ登録状態管理装置と、
からなるカード発行データ生成システムにおけるパラメータ登録状態管理装置に用いられるパラメータ登録状態管理方法であって、
前記パラメータ登録情報及び該パラメータ登録情報の登録の履歴を示す履歴情報を記憶する記憶部を用意し、
操作者が入力したパラメータ登録情報の識別符号及び該パラメータ登録情報の操作内容を示す情報を受け、
操作者が入力したパラメータ登録情報の識別符号に対応する履歴情報を前記記憶部から読み出して前記操作内容を示す情報が示す操作を許可するかを判断し、許可する場合には、該操作内容を示す情報に従い前記記憶部内のパラメータ登録情報の操作または出力、あるいは、履歴情報の更新を行う、
ことを特徴とするパラメータ登録状態管理方法。
【請求項８】
カード発行ソースデータ内に含まれるパラメータ指定情報に応じてパラメータのリストであるパラメータ登録情報を参照することによってカードへのエンコードに使用されるカード発行データを生成するカード発行データ生成装置と、
前記パラメータ登録情報の登録状態を管理するパラメータ登録状態管理装置と、
からなるカード発行データ生成システムにおけるパラメータ登録状態管理装置に用いられるコンピュータプログラムであって、
操作者が入力したパラメータ登録情報の識別符号及び該パラメータ登録情報の操作内容を示す情報を受けるステップと、
前記パラメータ登録情報及び該パラメータ登録情報の登録の履歴を示す履歴情報を記憶する記憶部から、操作者が入力したパラメータ登録情報の識別符号に対応する履歴情報を読み出して前記操作内容を示す情報が示す操作を許可するかを判断し、許可する場合には、該操作内容を示す情報に従い前記記憶部内のパラメータ登録情報の操作または出力、あるいは、履歴情報の更新を行うステップと、をコンピュータに実行させるためのパラメータ登録状態管理装置のコンピュータプログラム。
【発明の詳細な説明】
【０００１】
【発明の属する技術分野】
この発明は、ＩＣカードへのエンコードに使用されるカード発行データを生成するカード発行データ生成システムに関する。
【０００２】
【従来の技術】
従来、カード発行依頼会社がカード発行会社に磁気カードの発行を依頼する場合、カード発行依頼会社は磁気カードにエンコードすべきカード発行データが記録されている磁気テープを生成してカード発行会社に渡し、カード発行会社は受け取った磁気テープを用いて磁気カードへのエンコードを行っていた。従って、カード発行依頼会社は、カード発行会社に発行データが全て入力された磁気テープを支給していた。
しかし、近年、ＩＣカードの普及に伴い、カード発行データはしばしば膨大な量になり、カード発行依頼会社が全ての内容を入力したデータを支給する環境を整えにくかった。そこで、共通化されたフォーマットのカード発行ソースデータをカード発行会社側が用意し、カード発行依頼会社の指定により可変としなければならないパラメータ部分のデータ（パラメータ登録情報）のみをカード発行依頼会社から受領してエンコードを行い、ＩＣカードへ登録するためのカード発行データを生成することが考えられる。
この方法によれば、カード発行依頼会社が支給しなければならないデータ量は減少するが、カード発行会社においてカード発行依頼会社が依頼したデータが確実に登録内容に反映されていることを簡易に確認することができないという問題が残る。従って、カード発行会社において、カード発行依頼会社から受領したパラメータ登録情報の登録〜カード発行依頼会社によるパラメータ登録情報の登録結果確認〜パラメータ登録情報のデータへの反映までの一連の作業において、作業状況（作業履歴）の管理も合わせて行い、カード発行依頼会社から受領したパラメータ登録情報を確実に反映させたいという要望がある。
しかし、調査の結果、ＩＣカードの一連の発行システムにおいて、作業状況（作業履歴）の管理を行っているものはなかったため、開示すべき先行技術文献は存在しない。
【０００３】
【発明が解決しようとする課題】
この発明は、このような事情を考慮してなされたもので、その目的は、ＩＣカードへのエンコードに使用されるカード発行データを生成するためのデータの作業状況を管理することができるカード発行データ生成システムおよびパラメータ登録状態管理装置を提供することにある。
【０００４】
【課題を解決するための手段】
この発明は、上記の課題を解決すべくなされたもので、請求項１に記載の発明は、カード発行ソースデータ内に含まれるパラメータ指定情報に応じてパラメータのリストであるパラメータ登録情報を参照することによってカードへのエンコードに使用されるカード発行データを生成するカード発行データ生成装置と、前記パラメータ登録情報の登録状態を管理するパラメータ登録状態管理装置と、からなるカード発行データ生成システムであって、前記パラメータ登録状態管理装置は、前記パラメータ登録情報及び該パラメータ登録情報の登録の履歴を示す履歴情報を記憶する記憶部と、操作者が入力したパラメータ登録情報の識別符号及び該パラメータ登録情報の操作内容を示す情報を受ける入力部と、前記入力部が受けたパラメータ登録情報の識別符号に対応する履歴情報を前記記憶部から読み出して前記操作内容を示す情報が示す操作を許可するかを判断し、許可する場合には、該操作内容を示す情報に従い前記記憶部内のパラメータ登録情報の操作または出力、あるいは、履歴情報の更新を行うパラメータ管理部とを備え、前記カード発行データ生成装置は、前記パラメータ登録状態管理装置が出力したパラメータ登録情報を記憶する記憶部と、コンピュータ読み取り可能な記録媒体から前記カード発行ソースデータを読み込むとともに、該カード発行ソースデータ内のパラメータ指定情報に対応するパラメータを前記記憶部内のパラメータ登録情報から読み出して前記カード発行データを生成するデータ生成部とを備える、ことを特徴とするカード発行データ生成システムである。
【０００５】
請求項２に記載の発明は、カード発行ソースデータ内に含まれるパラメータ指定情報に応じてパラメータのリストであるパラメータ登録情報を参照することによってカードへのエンコードに使用されるカード発行データを生成するカード発行データ生成装置と、前記パラメータ登録情報の登録状態を管理するパラメータ登録状態管理装置と、からなるカード発行データ生成システムにおけるパラメータ登録状態管理装置であって、前記パラメータ登録情報及び該パラメータ登録情報の登録の履歴を示す履歴情報を記憶する記憶部と、操作者が入力したパラメータ登録情報の識別符号及び該パラメータ登録情報の操作内容を示す情報を受ける入力部と、前記入力部が受けたパラメータ登録情報の識別符号に対応する履歴情報を前記記憶部から読み出して前記操作内容を示す情報が示す操作を許可するかを判断し、許可する場合には、該操作内容を示す情報に従い前記記憶部内のパラメータ登録情報の操作または出力、あるいは、履歴情報の更新を行うパラメータ管理部と、を備えることを特徴とするパラメータ登録状態管理装置である。
【０００６】
請求項３に記載の発明は、請求項２に記載のパラメータ登録状態管理装置であって、前記パラメータ管理部は、操作を許可した場合に、前記パラメータ登録情報の識別符号として使用する受付管理番号を生成して出力するとともに前記記憶部内に書き込むことを特徴とする。
【０００７】
請求項４に記載の発明は、請求項２または請求項３に記載のパラメータ登録状態管理装置であって、前記履歴情報は、仮設定、仮確定、本登録または廃棄フェーズのいずれかであり、前記パラメータ管理部は、前記履歴情報が仮設定フェーズである場合には、前記パラメータ登録情報の変更、及び、前記履歴情報の仮確定フェーズへの更新を許可し、仮確定フェーズである場合には、前記履歴情報の本登録フェーズ及び廃棄フェーズへの更新を許可し、本登録フェーズの場合には、前記パラメータ登録情報の出力を許可し、廃棄フェーズである場合には、前記パラメータ登録情報の削除を許可する、ことを特徴とする。
【０００８】
請求項５に記載の発明は、請求項４に記載のパラメータ登録状態管理装置であって、前記履歴情報が仮設定フェーズ、あるいは、仮確定フェーズに更新された場合に、前記パラメータ登録情報を印刷する印刷部をさらに備えることを特徴とする。
【０００９】
請求項６に記載の発明は、カード発行ソースデータ内に含まれるパラメータ指定情報に応じてパラメータのリストであるパラメータ登録情報を参照することによってカードへのエンコードに使用されるカード発行データを生成するカード発行データ生成装置と、前記パラメータ登録情報の登録状態を管理するパラメータ登録状態管理装置と、からなるカード発行データ生成システムに用いられるカード発行データ生成方法であって、前記パラメータ登録状態管理装置が、前記パラメータ登録情報及び該パラメータ登録情報の登録の履歴を示す履歴情報を記憶する記憶部を用意し、操作者が入力したパラメータ登録情報の識別符号及び該パラメータ登録情報の操作内容を示す情報を受け、操作者が入力したパラメータ登録情報の識別符号に対応する履歴情報を前記記憶部から読み出して前記操作内容を示す情報が示す操作を許可するかを判断し、許可する場合には、該操作内容を示す情報に従い前記記憶部内のパラメータ登録情報の操作または出力、あるいは、履歴情報の更新を行い、前記カード発行データ生成装置が、前記パラメータ登録状態管理装置が出力したパラメータ登録情報を記憶する記憶部を用意し、コンピュータ読み取り可能な記録媒体から前記カード発行ソースデータを読み込むとともに、該カード発行ソースデータ内のパラメータ指定情報に対応するパラメータを前記記憶部内のパラメータ登録情報から読み出して前記カード発行データを生成する、ことを特徴とするカード発行データ生成方法である。
【００１０】
請求項７に記載の発明は、カード発行ソースデータ内に含まれるパラメータ指定情報に応じてパラメータのリストであるパラメータ登録情報を参照することによってカードへのエンコードに使用されるカード発行データを生成するカード発行データ生成装置と、前記パラメータ登録情報の登録状態を管理するパラメータ登録状態管理装置と、からなるカード発行データ生成システムにおけるパラメータ登録状態管理装置に用いられるパラメータ登録状態管理方法であって、前記パラメータ登録情報及び該パラメータ登録情報の登録の履歴を示す履歴情報を記憶する記憶部を用意し、操作者が入力したパラメータ登録情報の識別符号及び該パラメータ登録情報の操作内容を示す情報を受け、操作者が入力したパラメータ登録情報の識別符号に対応する履歴情報を前記記憶部から読み出して前記操作内容を示す情報が示す操作を許可するかを判断し、許可する場合には、該操作内容を示す情報に従い前記記憶部内のパラメータ登録情報の操作または出力、あるいは、履歴情報の更新を行う、ことを特徴とするパラメータ登録状態管理方法である。
【００１１】
請求項８に記載の発明は、カード発行ソースデータ内に含まれるパラメータ指定情報に応じてパラメータのリストであるパラメータ登録情報を参照することによってカードへのエンコードに使用されるカード発行データを生成するカード発行データ生成装置と、前記パラメータ登録情報の登録状態を管理するパラメータ登録状態管理装置と、からなるカード発行データ生成システムにおけるパラメータ登録状態管理装置に用いられるコンピュータプログラムであって、操作者が入力したパラメータ登録情報の識別符号及び該パラメータ登録情報の操作内容を示す情報を受けるステップと、前記パラメータ登録情報及び該パラメータ登録情報の登録の履歴を示す履歴情報を記憶する記憶部から、操作者が入力したパラメータ登録情報の識別符号に対応する履歴情報を読み出して前記操作内容を示す情報が示す操作を許可するかを判断し、許可する場合には、該操作内容を示す情報に従い前記記憶部内のパラメータ登録情報の操作または出力、あるいは、履歴情報の更新を行うステップと、をコンピュータに実行させるためのパラメータ登録状態管理装置のコンピュータプログラムである。
【００１２】
【発明の実施の形態】
以下、図面を参照し、この発明の実施の形態について説明する。
図１は、この発明の一実施の形態によるカード発行データ生成システムの構成を示すブロック図であり、本発明に直接関係するブロックのみ抽出して示してある。
カード発行会社は、ＩＣカード５へのエンコードを行うためのカード発行データに共通化されたフォーマットを持つカード発行ソースデータを用意し、可変部分のパラメータのリストであるパラメータ登録情報が記載された登録依頼票をカード発行依頼会社から受領する。カード発行会社は、パラメータ登録状態管理装置１を用いて、パラメータ登録情報の登録〜カード発行依頼会社によるパラメータ登録情報の登録結果確認〜パラメータ登録情報のデータへの反映までの一連の作業状況の管理を行う。そして、カード発行データ生成装置３により、カード発行ソースデータと、パラメータ登録状態管理装置１から出力されたパラメータ登録情報を基にカード発行データを生成する。
【００１３】
パラメータ登録状態管理装置１は、入力部１１、パラメータ管理部１２、表示部１３、記憶部１４、印刷部１５、及び、通信部１６からなる。
記憶部１４は、カード発行依頼会社から受領した登録依頼票に記載された「管理コード」及びパラメータ管理部１２が生成した「受付管理番号」により識別され、「パラメータ登録情報」、登録の履歴を示す「履歴番号」などからなるＩＣ情報のデータベースを記憶する。
入力部１１は、キーボードやマウスにより操作者が入力した情報を受け、パラメータ管理部１２へ受け渡す。
パラメータ管理部１２は、入力部１１から操作者が入力した情報を受け、記憶部１４内のデータベースへのＩＣ情報の書き込みあるいは読み出しや、「受付管理番号」の生成を行う。また、表示部１３へディスプレイへの表示を指示したり、印刷部１５へ登録されたＩＣ情報の内容を確認するためのチェックシートあるいは確認シートの印刷を指示する。さらに、カード発行データ生成装置３へ「パラメータ登録情報」を送信するよう通信部１６へ指示する。
表示部１３は、パラメータ管理部１２の指示を受け、ディスプレイへの表示を行う。
印刷部１５は、パラメータ管理部１２の指示により、チェックシートあるいは確認シートを印刷する。
通信部１６は、ＬＡＮ（Ｌｏｃａｌ  Ａｒｅａ  Ｎｅｔｗｏｒｋ）などのローカルネットワークを介して、カード発行データ生成装置３と通信する機能を有する。
【００１４】
記録媒体２は、磁気テープなどのコンピュータ読み取り可能な記録媒体であり、カード発行ソースデータを記憶している。カード発行ソースデータには、パラメータ登録情報内のパラメータとの対応を示すパラメータ指定情報が含まれる。
【００１５】
カード発行データ生成装置３は通信部３１、記憶部３２、データ生成部３３、及び、出力部３４を備える。
通信部３１は、ローカルネットワークを介してパラメータ登録状態管理装置１と通信する機能を有する。
記憶部３２は、通信部３１を介してパラメータ登録状態管理装置１から受けたパラメータ登録情報を記憶する。
データ生成部３３は、記録媒体２からカード発行ソースデータを読み込み、カード発行ソースデータ内のパラメータ指定情報に対応するパラメータを、記憶部３２が記憶しているパラメータ登録情報内から読み出し、カード発行データを生成する。
出力部３４は、データ生成部３３が生成したカード発行データを記録媒体４に出力する。
【００１６】
記録媒体４は、磁気テープなどのコンピュータ読み取り可能な記録媒体であり、カード発行データを記憶している。
【００１７】
ＩＣカード５は、外部とデータ交換を行う通信部、全体を統括制御するＣＰＵ、及び、プログラム及びデータを記録するメモリからなるＩＣチップ５１を備える。そして、図示しないＩＣカード書込装置が記録媒体４に記憶されたカード発行データを読み出してエンコードしたデータを受け、ＩＣチップ５１内のメモリに記憶する。
【００１８】
続いて、パラメータ登録状態管理装置１におけるＩＣ情報の登録の履歴を示すフェーズと「履歴番号」の関係について説明する。ＩＣ情報の登録の履歴には以下の４つのフェーズがあり、「履歴番号」によりフェーズが識別される。
仮設定フェーズ（履歴番号１）：新規にＩＣ情報が追加登録され、ＩＣカード発行会社内において追加されたＩＣ情報を確認している段階である。このフェーズでは、ＩＣ情報の変更、及び、以下に示す仮確定フェーズへの移行の設定が可能であり、ＩＣ情報の削除や、以下に示す本登録フェーズあるいは廃棄フェーズへの移行の設定は不可である。
仮確定フェーズ（履歴番号２）：ＩＣカード発行会社内において仮設定フェーズにあったＩＣ情報の確認が終了し、ＩＣ情報を仮に確定してカード発行依頼会社へＩＣ情報の確認を依頼している段階である。このフェーズでは、以下に示す本登録フェーズ及び廃棄フェーズへの移行の設定が可能であり、ＩＣ情報の変更及び削除は不可である。
本登録フェーズ（履歴番号３）：カード発行依頼会社においてＩＣ情報の確認が終了し、ＩＣ情報が確定した段階である。このフェーズでは、ＩＣ情報の変更、削除、あるいは、他のフェーズへの移行の設定を行うことはできない。本登録されたＩＣ情報内のパラメータ登録情報はカード発行データ生成装置３へ出力される。
廃棄フェーズ（履歴番号４）：登録されたＩＣ情報の削除を可能とするフェーズである。他のフェーズへの移行の設定や、ＩＣ情報の変更を行うことはできない。なお、あるＩＣ登録データに本登録フェーズへの移行の設定が行われたとき、本登録フェーズへの移行の設定が行われたＩＣ登録データと同じ「管理コード」を持ち、「受付管理番号」が異なるＩＣ登録データは廃棄フェーズに移行する。
【００１９】
図２は、この発明の一実施の形態によるパラメータ登録状態管理装置１を用いたパラメータ登録情報の登録フローチャートを示す図である。パラメータ登録情報の登録は、指示受付、仮設定・仮確定、確認、及び、本登録の工程からなる。指示受付工程：
カード発行依頼会社は、ＩＣカード５の発行をＩＣカード発行会社へ依頼するためにＩＣ情報の登録を行う（ステップＳ１００）。カード発行依頼会社は、ＩＣカード５へ登録するパラメータのリストからなるパラメータ登録情報を生成する。そして、パラメータ登録情報が記載された登録依頼票をＩＣカード発行会社へ送付して登録を指示する（ステップＳ１０５）。
【００２０】
仮設定・仮確定工程：
ＩＣカード発行会社は、登録依頼票を受領し、パラメータ登録情報の登録の指示を請ける（ステップＳ１１０）。ＩＣカード発行会社は、受領した登録依頼票に基づき、パラメータ登録状態管理装置１へ登録依頼票に記載の「管理コード」、「パラメータ登録情報」などを入力してＩＣ情報を仮設定すると、チェックシートが出力される（ステップＳ１１５）。そして、チェックシートと登録依頼票を突き合わせて仮設定内容を確認し（ステップ１２０）、内容に間違いがなければ、パラメータ登録状態管理装置１へＩＣ情報の仮確定を設定する（ステップＳ１２５）。ＩＣカード発行会社は、ＩＣ情報の仮確定に伴いパラメータ登録状態管理装置１が出力した確認シートと登録依頼票により仮確定内容を確認すると、登録依頼票及び確認シートをカード発行依頼会社へ送付し、登録内容の確認を依頼する（ステップＳ１３０）。
【００２１】
確認工程：
カード発行依頼会社は、カード発行会社から送付された確認シートと登録依頼票を突き合わせて、ＩＣ情報が正しく設定されているかをチェックする（ステップＳ１３５）。ＩＣ情報の内容が正しければ、カード発行会社へ確認シートを返送して登録内容を確認した旨を通知する。カード発行会社は、確認シートを受領し、登録内容を確認した旨の通知を受ける（ステップＳ１４０）。
【００２２】
本登録工程：
ＩＣカード発行会社は、カード発行依頼会社から確認シートを受領し、登録内容を確認した旨の通知を受けると、パラメータ登録状態管理装置１へＩＣ情報の本登録を行い（ステップＳ１４５）、受領した確認シートを保管する（ステップＳ１５０）。本登録が行われたＩＣ情報内のパラメータ登録情報は、カード発行データ生成装置３へ出力され、カード発行データが生成される。そして、カード発行データに基づきＩＣカード５が発行される。
【００２３】
次に、パラメータ登録状態管理装置１の動作について説明する。
図３は、ＩＣ情報の追加登録を行う動作フローを示す図である。
まず、カード発行会社の操作者は、キーボードにより、登録依頼票に記載されている「管理コード」をパラメータ登録状態管理装置１に入力する。すると、入力部１１は、入力された「管理コード」をパラメータ管理部１２へ通知し、パラメータ管理部１２は「管理コード」を内部に記憶する。続いて操作者は、パラメータ登録状態管理装置１のディスプレイに表示されている「追加」ボタンをクリックする（ステップＳ２０５）。パラメータ管理部１２は、入力部１１から新たなＩＣ情報の追加登録が要求された旨の通知をうけると、ステップＳ２００において内部に記憶した「管理コード」をキーにして記憶部１４内のデータベースを検索する（ステップＳ２１０）。そして、入力された「管理コード」と同じ「管理コード」を持つＩＣ情報が存在するか否かを判断し（ステップＳ２１５）、同じ「管理コード」を持つＩＣ情報が存在しないと判断した場合には、パラメータを入力するためのパラメータ入力画面の表示を表示部１３へ指示する。操作者は、表示部１３がディスプレイに表示したパラメータ入力画面に登録依頼票に記載のパラメータ登録情報を構成する各種パラメータを入力する（ステップＳ２２０）。パラメータ管理部１２は、入力部１１から受け取った各種パラメータを内部に記憶する。操作者は、パラメータ登録情報を構成する各種パラメータの入力が終了すると、パラメータ入力画面上の「仮設定」ボタンをクリックする（ステップＳ２２５）。入力部１１から、仮設定が要求された旨の通知を受けたパラメータ管理部１２は、仮設定が要求された日時「２０ＹＹ」年「ＭＭ」月「ＤＤ」日「ＨＨ」時「ＭＭ」分「ＳＳ」秒を基に、「受付管理番号」＝「ＹＹＭＭＤＤＨＨＭＭＳＳ」を生成する。そして、「管理コード」、パラメータ登録情報を構成する「各種パラメータ」、「受付管理番号」、「履歴番号＝１（仮設定フェーズ）」、現在の日付である「仮設定日＝ＹＹＹＹ（年）／ＭＭ（月）／ＤＤ（日）」を記憶部１４内のデータベースへ書き込み、ＩＣ情報を登録する（ステップＳ２３０）。さらに、印刷部１５に指示することにより、「管理コード」、パラメータ登録情報を構成する「各種パラメータ」、「受付管理番号」、「履歴番号」、「仮設定日」などの情報が記載されたチェックシートを印刷する（ステップＳ２３５）。
【００２４】
一方、ステップＳ２１５において、入力された「管理コード」と同じ「管理コード」を持つＩＣ情報が既に登録されていると判断した場合には、記憶部１４から該当するＩＣ情報の「履歴番号」を読み出し、分岐を行う（ステップＳ２４０）。「履歴番号」が「３（本登録フェーズ）」あるいは「４（廃棄フェーズ）」である場合は、一番最初に検索されたＩＣ情報内のパラメータ登録情報のパラメータを記憶部１４内のデータベースから読み出して表示部１３へ指示し、ディスプレイにデフォルト表示する（ステップＳ２４５）。操作者がデフォルト表示されたパラメータを参考にしてパラメータの変更を入力すると、入力部１１は、変更されたパラメータをパラメータ管理部１２へ受け渡し、パラメータ管理部１２は、受け取ったパラメータを内部に記憶する（ステップＳ２５０）。そして、パラメータの変更が終了し、「仮設定」ボタンがクリックされると、ステップＳ２２５〜ステップＳ２３５と同様の動作を行い、データベースへのＩＣ情報の登録及びチェックシートの印刷を行う。
また、ステップＳ２４０において、「履歴番号」が「１（仮設定フェーズ）」あるいは「２（仮確定フェーズ）」である場合は、処理を終了する。
【００２５】
図４は、ＩＣ情報の変更を行う動作フローを示す図である。
カード発行会社の操作者は、パラメータ登録状態管理装置１に表示されている「管理コード」と「受付管理番号」の組み合わせから、変更を行う対象のＩＣ情報に該当するレコードを選択し（ステップＳ３００）、「変更」ボタンをクリックする（ステップＳ３０５）。パラメータ管理部１２は、選択された「管理コード」及び「受付管理番号」と、ＩＣ情報の変更が要求されたことを入力部１１から受けると、記憶部１４内のデータベースを「管理コード」及び「受付管理番号」により検索し、該当するＩＣ情報の「履歴番号」を読み出して（ステップＳ３１０）、「履歴番号」が「１（仮設定フェーズ）」であるか否かを判断する（ステップＳ３１５）。「１（仮設定フェーズ）」であれば、該当するＩＣ情報のパラメータ登録情報内のパラメータを記憶部１４から読み出し、表示部１３へ指示してディスプレイにデフォルトで表示する（ステップＳ３２０）。操作者がデフォルト表示されたパラメータを参考にしてパラメータの変更を入力すると、入力部１１は、変更された「パラメータ」をパラメータ管理部１２へ受け渡し、パラメータ管理部１２は、受け取ったパラメータを内部に記憶する（ステップＳ３２５）。操作者は、パラメータの変更が終了すると、画面上の「仮設定」ボタンをクリックする（ステップＳ３３０）。入力部１１から、仮設定が要求された旨の通知を受けたパラメータ管理部１２は、仮設定が要求された日時「２０ＹＹ」年「ＭＭ」月「ＤＤ」日「ＨＨ」時「ＭＭ」分「ＳＳ」秒を基に、「受付管理番号」＝「ＹＹＭＭＤＤＨＨＭＭＳＳ」を生成する。そして、変更された「各種パラメータ」、「受付管理番号」、「履歴番号＝１（仮設定フェーズ）」、現在の日付である「仮設定日＝ＹＹＹＹ（年）／ＭＭ（月）／ＤＤ（日）」を記憶部１４内のデータベースへ書き込み、ＩＣ情報を追加する（ステップＳ３３５）。さらに、印刷部１５に指示することにより、「管理コード」、パラメータ登録情報を構成する「各種パラメータ」、「受付管理番号」、「履歴番号」、「仮設定日」などの情報が記載されたチェックシートを印刷する（ステップＳ３４０）。
【００２６】
一方、ステップＳ３１５において、「履歴番号」が「１（仮設定フェーズ）」ではなかった場合、パラメータ管理部１２は、「履歴番号」に従って画面にメッセージを表示するための分岐を行う（ステップＳ３５０）。すなわち、「履歴番号」が「２（仮確定フェーズ）」であれば、パラメータ管理部１２は表示部１３に指示することにより、「得意先確認中データです。変更できません。」というメッセージボックス（ＭｓｇＢｏｘ）を画面に表示する（ステップＳ３６０）。また、「履歴番号」が「３（本登録フェーズ）」であれば、「本番設定済みです。変更できません。」というメッセージボックス（ＭｓｇＢｏｘ）を（ステップＳ３７０）、「履歴番号」が「４（廃棄フェーズ）」であれば、「廃棄データです。変更できません。」というメッセージボックス（ＭｓｇＢｏｘ）を画面に表示する（ステップＳ３８０）。
【００２７】
図５は、ＩＣ情報の仮確定を行う動作フローを示す図である。
カード発行会社の操作者は、パラメータ登録状態管理装置１に表示されている「管理コード」と「受付管理番号」の組み合わせから、仮確定を行う対象のＩＣ情報に該当するレコードを選択し（ステップＳ４００）、「仮確定」ボタンをクリックする（ステップＳ４０５）。パラメータ管理部１２は、「管理コード」及び「受付管理番号」と、ＩＣ情報の仮確定が要求されたことを入力部１１から受けると、記憶部１４内のデータベースを「管理コード」及び「受付管理番号」により検索して該当するＩＣ情報の「履歴番号」を読み出す（ステップＳ４１０）。そして、「履歴番号」が「１（仮設定フェーズ）」であるか否かを判断し（ステップＳ４１５）、「１（仮設定フェーズ）」であれば、該当するＩＣ情報の「履歴番号」を「２（仮確定フェーズ）」に更新する（ステップＳ４２０）。さらに、パラメータ管理部１２は記憶部１４から該当するＩＣ情報を読み出して印刷部１５に通知し、印刷部１５は、「管理コード」、「各種パラメータ」、「受付管理番号」、「履歴番号」、「仮設定日」などが記載されている確認シートを印刷する（ステップＳ４２５）。
なお、ステップＳ４１５において、「履歴番号」が「１（仮設定フェーズ）」ではないと判断した場合には、処理を終了する。
【００２８】
図６は、ＩＣ情報の本登録を行う動作フローを示す図である。
カード発行会社の操作者は、パラメータ登録状態管理装置１に「管理コード」及び「受付管理番号」をキーボードにより入力し（ステップＳ５００）、「本登録」ボタンをクリックする（ステップＳ５０５）。パラメータ管理部１２は、「管理コード」及び「受付管理番号」と、ＩＣ情報の本登録が要求されたことを入力部１１から受けると、記憶部１４内のデータベースを「管理コード」及び「受付管理番号」により検索し（ステップＳ５１０）、該当するＩＣ情報が存在するか否かの判断を行う（ステップＳ５１５）。該当するＩＣ情報が存在する場合は、「履歴番号」を読み出し（ステップＳ５２０）、「２（仮確定フェーズ）」であるか否かを判断する（ステップＳ５２５）。「履歴番号」が「２（仮確定フェーズ）」であれば、記憶部１４内の該当するＩＣ情報の「履歴番号」を「３（本登録フェーズ）」に更新するとともに、現在の日付である「本登録日＝ＹＹＹＹ（年）／ＭＭ（月）／ＤＤ（日）」を書き込む。さらに、「管理コード」が同じであり、「管理番号」が異なるＩＣ情報を検索し、該当する全ＩＣ情報の「履歴番号」に「４（廃棄フェーズ）」を設定し、現在の日付である「廃棄日＝ＹＹＹＹ（年）／ＭＭ（月）／ＤＤ（日）」を書き込む。また、パラメータ管理部１２は、本登録フェーズへの移行を設定したＩＣ情報内の「パラメータ登録情報」を記憶部１４から読み出して通信部１６へ通知し、通信部１６は、ローカルネットワークを介してカード発行データ生成装置３へ「パラメータ登録情報」を送信する。カード発行データ生成装置３の通信部３１は、「パラメータ登録情報」を受信すると、記憶部３２へ書き込む。
なお、ステップＳ５１５において、ＩＣ情報が存在しないと判断した場合、あるいは、ステップＳ５２５において、「履歴番号」が「２（仮確定フェーズ）」以外であると判断した場合には、処理を終了する。
【００２９】
図７は、ＩＣ情報の廃棄を行う動作フローを示す図である。
カード発行会社の操作者は、パラメータ登録状態管理装置１に「管理コード」及び「受付管理番号」をキーボードから入力し（ステップＳ６００）、「廃棄」ボタンをクリックする（ステップＳ６０５）。パラメータ管理部１２は、「管理コード」及び「受付管理番号」と、ＩＣ情報の廃棄が要求されたことを入力部１１から受けると、記憶部１４内のデータベースを「管理コード」及び「受付管理番号」により検索し（ステップＳ６１０）、該当するＩＣ情報が存在するか否かを判断する（ステップＳ６１５）。該当するＩＣ情報が存在する場合は、さらに「履歴番号」を読み出し（ステップＳ６２０）、分岐を行う（ステップＳ６２５）。「履歴番号」が「２（仮確定フェーズ）」であれば、記憶部１４内の該当するＩＣ情報の「履歴番号」を「４（廃棄フェーズ）」に更新する（ステップＳ６３０）。
また、ステップＳ６２５において、「履歴番号」が「１（仮設定フェーズ）」、「３（本登録フェーズ）」あるいは「４（廃棄フェーズ）」であった場合、パラメータ管理部１２は、「履歴番号」に従って画面にメッセージを表示するよう表示部１３へ指示するための分岐を行う（ステップＳ６４０）。すなわち、「履歴番号」が「１（仮設定フェーズ）」または「４（廃棄フェーズ）」であれば、パラメータ管理部１２は表示部１３に指示し、「廃棄できません。」というメッセージボックス（ＭｓｇＢｏｘ）を画面に表示する（ステップＳ６５０）。また、「履歴番号」が「３（本登録フェーズ）」であれば、「本番設定済みです。廃棄できません。」というメッセージボックス（ＭｓｇＢｏｘ）を画面に表示する（ステップＳ６６０）。
【００３０】
図８は、ＩＣ情報の削除を行う動作フローを示す図である。
カード発行会社の操作者は、パラメータ登録状態管理装置１に表示されている「管理コード」と「受付管理番号」の組み合わせから、削除を行う対象のＩＣ情報に該当するレコードを選択し（ステップＳ７００）、「削除」ボタンをクリックする（ステップＳ７０５）。パラメータ管理部１２は、選択された「管理コード」及び「受付管理番号」と、ＩＣ情報の削除が要求されたことを入力部１１から受けると、記憶部１４内のデータベースを「管理コード」及び「受付管理番号」により検索し、該当するＩＣ情報の「履歴番号」を読み出して（ステップＳ７１０）、「履歴番号」が「４（廃棄フェーズ）」であるか否かを判断する（ステップＳ７１５）。「４（廃棄フェーズ）」であれば、該当するＩＣ情報を記憶部１４から削除する（ステップＳ７２０）。また、ステップＳ７１５において、「履歴番号」が「４（廃棄フェーズ）」以外であったと判断した場合には、パラメータ管理部１２は表示部１３に指示し、「削除できません。」というメッセージボックス（ＭｓｇＢｏｘ）を画面に表示し（ステップＳ７３０）、処理を終了する。
【００３１】
図９は、カード発行データ編集処理フローチャートを示す図である。
カード発行データ生成装置３のデータ生成部３３は、記録媒体２からカード発行ソースデータを読み出す（ステップＳ８００）。カード発行ソースデータは、カード発行データに共通化されたフォーマットの中に、可変のパラメータが設定されるべき複数のフィールドからなる「パラメータ指定情報」を含んでいる。図に示すカード発行ソースデータのデータレイアウトイメージにおいて、カード発行ソースデータは「サーチＮｏ」、「エンボスデータ」、・・・、「パラメータ指定情報」、・・・からなる共通化されたフォーマットを持つ。そして、「パラメータ指定情報」は、「フィールドＦ１」、「フィールドＦ２」、・・・からなり、それぞれ、パラメータを指定する値「コードＡ１」、「コードＢ２」、・・・が設定されている。
【００３２】
続いて、データ生成部３３は、パラメータ登録状態管理装置１から出力され、記憶部３２に登録されたパラメータ登録情報を記憶部３２から読み出す。パラメータ登録情報は、カード発行ソースデータ内のパラメータ指定情報を構成するフィールドに対応する複数のテーブルからなる。さらに、テーブルは複数のレコードからなり、レコードの識別番号である「レコードＮｏ」、パラメータ登録情報のフィールドに設定される値に対応する「コード」、パラメータ登録情報のフィールドに設定すべき「パラメータ値のリスト」を含む。図においては、フィールドＦ１に対応するテーブルＴ１及びフィールドＦ２に対応するテーブルＴ２には、以下が設定されている。
＜テーブルＴ１＞
＜レコードＮｏ＞＜コード＞＜パラメータＡ１＞＜パラメータＡ２＞
００１      コードＡ１      Ａ０１            Ａ１１
００２      コードＡ２      Ａ０２            Ａ１２
００３      コードＡ３      Ａ０３            Ａ１３
：            ：            ：                ：
＜テーブルＴ２＞
＜レコードＮｏ＞＜コード＞＜パラメータＢ１＞＜パラメータＢ２＞
００１      コードＢ１      Ｂ０１            Ｂ１１
００２      コードＢ２      Ｂ０２            Ｂ１２
００３      コードＢ３      Ｂ０３            Ｂ１３
：            ：            ：                ：
【００３３】
データ生成部３３は、読み出したカード発行ソースデータとパラメータ登録情報を用いてカード発行ソースデータ内のパラメータ設定情報の部分に対応するＩＣエンコードデータを編集する（ステップＳ８１０）。具体的には、パラメータ指定情報内のフィールドＦ１に設定された値「コードＡ１」によりテーブルＴ１を検索し、「パラメータ値のリスト」、すなわち、「Ａ０１」、「Ａ１１」を読み出す。同様に、カード発行ソースデータのパラメータ指定情報内のフィールドＦ２に設定された「コードＢ２」によりテーブルＴ２を検索し、「パラメータ値のリスト」である「Ｂ０２」、「Ｂ１２」を読み出す。そして、パラメータ指定情報内の「フィールドＦ１」の位置に読み出した「Ａ０１」、「Ａ１１」を設定し、「フィールドＦ２」の位置に読み出した「Ｂ０２」、「Ｂ１２」を設定してＩＣエンコードデータの編集を行う。データ生成部３３は、編集されたＩＣエンコードデータをカード発行ソースデータ内のパラメータ設定情報の位置に設定して、カード発行データを生成する。また、出力部３４に指示し、生成したカード発行データを記録媒体４へ書き込む（ステップＳ８２０）。ＩＣカード書込装置は、記録媒体４からカード発行データを読み出し、ＩＣカード５へのエンコードを行う。
【００３４】
なお、操作者が入力した操作に従い、パラメータ登録状態管理装置１からカード発行データ生成装置３へ本登録フェーズにあるＩＣ情報内の「パラメータ登録情報」を送信してもよい。また、パラメータ登録状態管理装置１は、本登録フェーズにあるＩＣ情報内の「パラメータ登録情報」を可搬のコンピュータ読み取り可能な記録媒体に書き込み、カード発行データ生成装置３は、可搬のコンピュータ読み取り可能な記録媒体からパラメータ登録状態管理装置１が書き込んだ「パラメータ登録情報」を読み出し、記憶部３２へ記憶してもよい。
また、ＩＣカードに代えて、磁気カードなど情報を記憶する記憶部を備えたカードの発行に適用してもよい。
【００３５】
なお、上述のパラメータ登録状態管理装置１及びカード発行データ生成装置３は、内部にコンピュータシステムを有している。そして、上述したパラメータ登録状態管理装置１及びカード発行データ生成装置３の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００３６】
また、「コンピュータ読み取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３８】
【発明の効果】
以上説明したように、請求項１及び６の発明によれば、共通化されたフォーマットを持つカード発行ソースデータをカード発行会社側が用意し、カード発行依頼会社の指定により可変としなければならないパラメータのリストであるパラメータ登録情報のみをカード発行依頼会社から受領してＩＣカードへのエンコードに使用されるカード発行データを生成するとともに、カード発行依頼会社から受領したパラメータ登録情報のシステムへの登録に係る作業状況を管理することが可能になる。これにより、カード発行依頼会社とカード発行会社の間で膨大な量のデータを受け渡す必要がなくなり、さらに、カード発行会社は、カード発行データ生成システムへの登録作業の段階に従ってパラメータ登録データを操作することが可能になる。
また、請求項２、７及び８の発明によれば、共通化されたフォーマットを持つカード発行ソースデータをカード発行会社側が用意し、カード発行依頼会社の指定により可変としなければならないパラメータのリストであるパラメータ登録情報のみをカード発行依頼会社から受領してＩＣカードへのエンコードに使用されるカード発行データを生成するカード発行データ生成システムにおいて、カード発行依頼会社から受領したパラメータ登録情報のシステムへの登録に係る作業状況を管理することが可能になる。これにより、カード発行会社は、カード発行データ生成システムへの登録作業の段階に従ってパラメータ登録データを操作することが可能になる。
また、請求項３の発明によれば、カード発行依頼会社から受領したパラメータ登録情報の作業状況の管理に、パラメータ登録状態管理装置が生成したユニークな番号を併用することが可能になる。従って、間違ったパラメータ登録情報にアクセスして操作を行うこと防ぐことができる。
また、請求項４の発明によれば、パラメータ登録状態管理装置へのパラメータ登録情報の登録状況を、仮設定、仮確定、本登録及び廃棄フェーズにより管理することができる。これにより、カード発行会社は、カード発行依頼会社から受領したパラメータ登録情報を確実にカード発行データへ反映させ、ＩＣカードに設定することが可能となる。
また、請求項５の発明によれば、仮設定フェーズ、あるいは、仮確定フェーズに更新されたパラメータ登録情報を印刷することが可能となる。従って、パラメータ登録状態管理装置に登録されたパラメータ登録情報をカード発行会社及びカード発行依頼会社において確認してから本登録を行うことができ、設定ミスを防ぐことができる。
【図面の簡単な説明】
【図１】この発明の一実施の形態によるカード発行データ生成システムを用いたＩＣカード発行システムの構成を示すブロック図である。
【図２】同実施の形態によるパラメータ登録状態管理装置１を用いたパラメータ登録情報の登録フローチャートを示す図である。
【図３】同実施の形態によるＩＣ情報の追加登録を行う動作フローを示す図である。
【図４】同実施の形態によるＩＣ情報の変更を行う動作フローを示す図である。
【図５】同実施の形態によるＩＣ情報の仮確定を行う動作フローを示す図である。
【図６】同実施の形態によるＩＣ情報の本登録を行う動作フローを示す図である。
【図７】同実施の形態によるＩＣ情報の廃棄を行う動作フローを示す図である。
【図８】同実施の形態によるＩＣ情報の削除を行う動作フローを示す図である
【図９】同実施の形態によるカード発行データ編集処理フローチャートを示す図である。
【符号の説明】
１…パラメータ登録状態管理装置
１１…入力部
１２…パラメータ管理部
１３…表示部
１４、３２…記憶部
１５…印刷部
１６、３１…通信部
２、４…記録媒体
３…カード発行データ生成装置
３３…データ生成部
３４…出力部
５…ＩＣカード
５１…ＩＣチップ
【図１】
2004220255.tif 000003
【図２】
2004220255.tif 000004
【図３】
2004220255.tif 000005
【図４】
2004220255.tif 000006
【図５】
2004220255.tif 000007
【図６】
2004220255.tif 000008
【図７】
2004220255.tif 000009
【図８】
2004220255.tif 000010
【図９】
2004220255.tif 000011